(57)【特許請求の範囲】
【請求項１】
ワイパーを収納した容器が装填されるハウジングと、前記ワイパーを引き出すことが可能な搾り部とを含み、前記ハウジングには、後部壁に装着される前方カバーが含まれ、該前方カバーには、ワイパー取り出し口を備え、かつ、蓋が支持され、該蓋の閉じ位置においてワイパー取り出し口は覆われ、前記容器は、前記前方カバーのワイパー取り出し口の下方で、係合プレートによって前記ハウジング内に保持され、
前記係合プレートには、貫通穴が設けられた平坦な中央部と、前記ハウジングによって保持される複数のタブとが形成されており、
前記タブの１つは、前記係合プレートを、前記ハウジングの上端部に位置する上部係合突起に位置決めするものであることを特徴とするワイパーディスペンサー。
【請求項２】
前記タブの少なくとも１つは、前記係合プレートを、ハウジングに付属する位置決め突起と重なる位置に位置決めするものであることを特徴とする請求項１記載のワイパーディスペンサー。
【請求項３】
前記係合プレートは３つのタブを備えており、中央タブは、前記係合プレートを上部係合突起に位置決めし、２つの側方タブは、前記係合プレートを位置決め突起に位置決めするものであり、前記各タブは、前記係合プレートの中央部の外縁部に、１２０°づつ離れて配置されていることを特徴とする請求項１又は２記載のワイパーディスペンサー。
【請求項４】
前記中央タブは、その自由端部の先端に位置するように第１の保持突起を支持し、直角に延びてその下方の前記容器に対向しており、又、その下方に、前記第１の保持突起の方向へと折れ曲がるようにして、第２の保持突起が配置されていることを特徴とする請求項３記載のワイパーディスペンサー。
【請求項５】
前記係合プレートは、前記ハウジングの後部壁に位置決めされていることを特徴とする請求項１から４のいずれか１項記載のワイパーディスペンサー。
【請求項６】
前記係合プレートは、前記前方カバーの前記ワイパー取り出し口と平行に配置され、その位置で前記ハウジングが閉じられることを特徴とする請求項５記載のワイパーディスペンサー。
【請求項７】
前記係合プレートの貫通穴は、下方部分が１２０°を越える範囲にわたりタブによって閉じられ、中央部は、互いに収束して端部にスリットが構成される２つの傾斜壁によってじょうご形をなし、ワイパーをカットすることが可能な形状に形成されていることを特徴とする請求項１から６のいずれか１項記載のワイパーディスペンサー。
【請求項８】
前記蓋は、前記ワイパー取り出し口に対向する表面に、円筒状のエンドピースを保持しており、該エンドピースは、前記ワイパー取り出し口に挿入可能な断面形状を有していることを特徴とする請求項１から７のいずれか１項記載のワイパーディスペンサー。
【請求項９】
前記円筒状のエンドピースの自由端部には、蓋によってハウジングを閉じる際に、前記貫通穴を取囲むようにして前記係合プレートに対して圧接するシールが保持されていることを特徴とする請求項８記載のワイパーディスペンサー。
【請求項１０】
前記容器は、その引抜き開口の上方に位置する、前記係合プレートが保持されていることを特徴とする請求項１から９のいずれか１項記載のワイパーディスペンサー。
【請求項１１】
前記容器の、前記係合プレートに覆われた引抜き開口に面する壁面に設けられた、第２の開口部が含まれることを特徴とする請求項１から１０のいずれか１項記載のワイパーディスペンサー。
【発明の詳細な説明】
【技術分野】
【０００１】
本発明は、概略的には、ワイパー（wipes）等のクリーニング用品のディスペンサー（dispensing device）に関するものである。特に、ウエットタイプのワイパーへの使用に適したものである。
【背景技術】
【０００２】
一般に、ワイパー等の使い捨てタイプのクリーニング用品の使用は、近年増加している。ここで、用語「ワイパー」は、小さなタオルを意味し、セルロースの不織布が良く用いられ、その大きさは、日常的な使用に適したものであるが、一回の使用に限られる。
様々なウエットタイプのワイパー、すなわち、液体がしみ込んだワイパーが、その液体の使用をより容易にするために、提案されている。これらのワイパーによって、使用者は、使用前にその液体を脱脂綿、手当用品又は布等の補助用品に浸す手間から解放されるものである。そのようなワイパーは、例えば、アルコール等の消毒液をしみ込ませるといった薬剤の使用のため、メイク落しローション、ケアローション等をしみ込ませるといった化粧品の使用のため、あるいは、艶出し剤等のクリーニング剤をしみ込ませるといった家庭用に用いられる。
【０００３】
このワイパーは、多くは、ワイパーが通過する際にワイパーを搾る搾り穴を備える容器に収納されている。
この搾り穴は、着脱自在な粘着性ラベルによって封止されることで、容器から繰出してワイパーを使用し、その後に、搾り穴を再び封止することができる。この、着脱自在なラベルの採用は、容器内のワイパーの乾燥を防ぐことを目的とするものである。しかしながら、しばしば、この着脱自在なラベルの粘着性は、数回の使用の後に損なわれ、その結果、搾り穴が開いたままとなって、少なくとも一部のワイパーにしみ込んだ液体は蒸発し、ワイパーが乾燥してしまうこととなる。
【０００４】
このような問題を解消するために、ワイパーの容器が装填されるハウジングが提案されている。このハウジングは、蓋によって閉じられる搾り穴出口が設けられている。ワイパーの容器はハウジング内に装填され、その後、着脱自在なラベルは取り除かれ、ワイパーの引抜き開口は、搾り穴出口の下方に位置決めされる。
この種のディスペンサーの多くは良く知られており、長年にわたり市販されている。しかしながら、要求を完全に満たすものは存在していない。何故ならば、ハウジング内での、ワイパーの容器の位置決めが、その設置性の点や、使用性、ワイパーの乾燥、取り出し易さのいずれの点においても、あまり実用的ではないからである。
加えて、ワイパーが予め裁断されているか否かに関わらず、織物で構成された場合には、使用に適するようにワイパーを裁断する際に、少なからず不便を感じるものである。
【０００５】
更に起こり得るもう１つの問題として、最初のワイパーの引き出し端部を、出口開口から、容器内部の正しい位置へと戻す必要がある点にある。
米国特許出願２００４／０３５７３８には、そのような装置が示されており、ワイパーが収納された容器には、搾り穴出口を覆う位置に締切り手段が設けられている。そのような締切り手段には、フラップ蓋が用いられることで、容器内のワイパーが乾燥するリスクを負うことなく、ワイパーを使用することが出来る。
【０００６】
そして、容器は、保持具によってディスペンサーに装填されるものである。又、締切り手段は、容器の締切り手段とキャリヤとに形成された、溝及びリブの組み合わせにより構成されるものである。
そのような装置は、ワイパーの容器と、ワイパーの搾り穴出口を覆う締切り手段との双方の使用が必要となる。従って、それ相当に高価なものとなる。
【発明の概要】
【発明が解決しようとする課題】
【０００７】
本発明は、上記欠点を有しない、ウエットタイプのワイパーのディスペンサーを提供することを目的とするものである。
【課題を解決するための手段】
【０００８】
この目的のため、本発明はワイパーのディスペンサーに関するものであり、ワイパーを収納した容器が装填されるハウジングと、前記ワイパーを引き出すことが可能な搾り部（an orifice）とを含み、前記ハウジングには、後部壁に装着される前方カバーが含まれ、該前方カバーには、ワイパー取り出し口（a wipes outlet orifice）を備え、かつ、蓋が支持され、かかる蓋の閉じ位置においてワイパー取り出し口は覆われ、前記容器は、前記前方カバーのワイパー取り出し口の下方で、前記係合プレートによって前記ハウジング内に保持される。
【０００９】
この、本発明に係るワイパーのディスペンサーは、更なる特徴を有している。すなわち、
前記係合プレートには、貫通穴が設けられた平坦な中央部と、前記ハウジングによって保持される複数のタブとが形成されている。
前記タブの１つは、前記係合プレートを、前記ハウジングの上端部に位置する上部係合突起(lug)に位置決めするものである。
又、前記タブの少なくとも１つは、前記係合プレートを、ハウジングに付属する位置決め突起と重なる位置に位置決めするものである。
【００１０】
前記係合プレートは３つのタブを備えており、そのうちの中央タブは、前記係合プレートを前記上部係合突起に位置決めし、２つの側方タブは、前記係合プレートを位置決め突起に位置決めし、前記各タブは、前記係合プレートの中央部の外縁部に、１２０°づつ離れて配置されている。
前記中央タブは、その自由端部の先端に位置するように第１の保持突起を支持し、直角に延びてその下方の前記容器に対向しており、又、その下方に、前記第１の保持突起の方向へと折れ曲がるようにして第２の保持突起が配置されている。
【００１１】
前記係合プレートは、前記ハウジングの後部壁に位置決めされている。
前記係合プレートは、前記前方カバーの前記ワイパー取り出し口と平行に配置され、その位置で前記ハウジングが閉じられる。
【００１２】
前記係合プレートの貫通穴は、下方部分が１２０°を越える範囲にわたりタブによって閉じられ、中央部は、互いに収束して端部にスリットが構成される２つの傾斜壁によってじょうご形をなし、ワイパーをカットすることが可能な形状に形成されている。
【００１３】
前記蓋は、前記ワイパー取り出し口に対向する表面に、円筒状のエンドピースを保持しており、このエンドピースは、前記ワイパー取り出し口に挿入可能な断面形状を有している。
前記円筒状のエンドピースの自由端部には、蓋によってハウジングを閉じる際に、前記貫通穴を取囲むようにして前記係合プレートに対して圧接するシールが、保持されている。
前記容器は、その引抜き開口（its extraction orifice）の上方に位置する、前記係合プレートを保持している。
【００１４】
前記容器の、前記容器の係合プレートに覆われた、前記容器の引抜き開口に面する壁面に設けられた、第２の開口部が含まれるものである。
本発明は、後述の説明によってより詳細に把握されるものであるが、添付図面に例示された態様に限定されるものではない。
【図面の簡単な説明】
【００１５】
【図１】本発明の実施の形態に係るワイパーディスペンサーの、蓋が開いた状態を示す、斜視図である。
【図２】図１に示されるワイパーディスペンサーの断面図である。
【図３】本発明の実施の形態に掛かるワイパーディスペンサーの、前方カバーが開いた状態を拡大図示したものであり、前方カバーを後部壁に装着する手段を例示する図である。
【図４】ワイパーディスペンサーの上方部分であって、前方カバーが開いた状態を示す図である。
【図５】蓋を閉じた状態を示す断面図であって、ワイパーディスペンサーの上方部分のみを示すものである。
【発明を実施するための最良の形態】
【００１６】
本発明の実施の形態に係るワイパーディスペンサーは、良く知られているように、ワイパーが収納された容器４００を装填するハウジング１００を構成要素に含むものである。
ハウジング１００は、後部壁１０１に装着される前方カバー１０２を含み、又、可動式の蓋３を保持している。
この蓋３は、ハウジング１００の内側に連通する前方カバー１０２のワイパー取り出し口２０が閉じられる（閉）位置（図５）と、ワイパー取り出し口２０が開放される（開）位置（図１、図２）との間で、前方カバー１０２に設けられた軸周りに回転可能である。
【００１７】
蓋３は、詳細な説明を省略する良く知られた閉じ手段２３によって、前方カバー１０２のワイパー取り出し口２０が閉じられる位置に保持される。
この閉じ手段２３は、例えば、一般的に知られた「プッシュプル」手段が前方カバー１０２に配置されたものであり、蓋のフック３２と協働するものである。そして、蓋３のフック３２が設けられた位置の上方を押すことで開くものである。閉位置にある蓋３を押すとラッチが開放され、蓋３が開く。同様に、前方カバー１０２に対しもたれ掛かった状態で開放する蓋３を押すことで、蓋は閉位置にロックされる。
閉じ手段２３がアンラッチ状態にあるときには、コイルばね等の弾性手段３１に付勢され、蓋３は開位置へと回転する。
【００１８】
このような、いわゆる「プッシュプル」閉じ手段２３を用いることにより、ユーザーは、簡単な操作で、ハウジングを確実に閉じることが可能となる。事実、確実に閉じていない状態であれば、蓋は弾性手段の作用によって開き、ハウジングが開放状態にあることは、一目瞭然となる。そのような場合であっても、ユーザーは蓋を保持して押し下げることにより、又は、弾性手段により閉位置へと戻し、蓋を押すことで確実な閉じ状態が保証され、蓋は簡単に閉じられる。
【００１９】
後部壁１０１は全体に平坦である。これは、切欠き部１０を利用してレールから吊り下げ、又は、開口１１にねじ等の固定手段を挿通して、壁に取付けることを意図したものである。
【００２０】
前方カバー１０２は、後部壁１０１に対して回転可能に装着されている。そして、図（図３）に例示された実施の形態では、後部壁１０１の、互いに平行且つ平坦に直立する２つの突起１２に、下端の両端部近傍部分が支持されている。各突起１２には、前方カバー１０２のアーム２２によって保持されたピン２１が配置される、くぼみ１３を備えている。前方カバー１０２の内側壁には、２本のアーム２２が、後部壁の突起１２に平行且つこれらの間に位置するように保持され、かつ、２つのピン２１を備えている。
ハウジング１００が閉じられると、前方カバー１０２はピン２１を中心として回転し、前方カバー１０２の上端部近傍に位置する少なくとも１つの突起２４は、後部壁１０１の穴１４に挿入される。
【００２１】
良く知られているように、各突起２４の端部はスタッドを構成しており、ここでは図示しないが、後部壁１０１の表面に対して圧入され、前方カバー１０２の位置が維持されることで、ハウジング１００は閉じられる。前方カバー１０２の上方表面に形成された貫通穴２５は、周知の事項であることから図示しないが、スタッドを穴１４の内側へと押戻すことで、ハウジング１００を開放することを可能とするものである。
ハウジング１００は、ロール状のワイパーを収納する容器４００を装填するためのものである。
【００２２】
本発明の実施の形態によれば、係合プレート４により、容器４００はハウジング１００内部に保持され、装填されるものである。
係合プレート４には、貫通穴４１が設けられた平坦な中央部４０と、ハウジング１００によって保持されるタブとが形成されている。
詳しい図示は省略するが、本発明の実施の形態では、係合プレートは中央タブ４５と２つの側方タブ４８との、３つのタブを備えており、各タブは、中央部４０の外縁部に、１２０°づつ離れて配置されている。
【００２３】
中央タブ４５は２つの保持突起４６及び４７を支持している。中央タブ４５は、その自由端部の先に第１の保持突起４６を支持し、係合プレート４の下方へと直角に延び、その表面が容器４００に対向している。第２の保持突起４７は、係合プレート４の下方に配置され、第１の保持突起４６の方向へと折れ曲がっている。
中央タブ４５は、寸法の高精度化を促進するため、及び、材料の使用量を削減するため、モールド成形可能なように開口形状が形成されている。
特に図４、図５から明らかなように、中央タブ４５は、係合プレート４を、ハウジング１００の上端部に位置する上部係合突起１５の端部に設けられたリブ１６に位置決めするものである。
図示された本発明の実施の形態では、上部係合突起は、ハウジング１００の後部壁１０１の、上端部近傍に支持されている。
【００２４】
係合プレート４は、第１の保持突起４６が上部係合突起１５の上方、かつ、リブ１６の後部壁１０１側表面に配置され、又、第２の保持突起４７が、上部係合突起１５の下方に配置されることで、上部係合突起１５に保持される。
図示の実施の形態では、２つの側方タブ４８が、ほぼ同一方向に突出し、その下端部が、中央タブ４５から互いに分かれるようにして、第１の保持突起４６の面と平行な同一線上に設けられている。
後部壁１０１は、先端がフラット端部１９となりＬ形リブ１８を構成する２つの位置決め突起１７を支持している。
２つのＬ形リブ１８は、フラット端部１９が対向するように保持され、このフラット端部によって、係合プレート４の側方タブ４８は、ハウジングに対する位置決めがなされるものである。
【００２５】
上部係合突起１５及び位置決め突起１７の、寸法、位置及び向きは、前方カバー１０２がハウジング１００を閉じる位置にあるとき、係合プレート４は、前方カバー１０２のワイパー取り出し口２０と平行に位置決めされるように決定され、ワイパー取り出し口２０の下方端部は前方カバー１０２に好ましくは密着するように、極近くまで接近する。
図示の実施の形態では、位置決め突起１７は、ハウジングの後部壁１０１によって支持されている。
図示の構成では、係合プレート４はハウジングの後部壁１０１によって保持され、ハウジング１００を開放するために、前方カバー１０２が押し下げられることで、ワイパーの容器４００の装填が容易となる。
【００２６】
実際の使用時には、本発明の実施の形態に係るワイパーディスペンサーには、ワイパーを収納する容器４００が用いられる。この容器は、後部壁１０１に面し、その引抜き開口が、係合プレート４の貫通穴４１の下方に位置するようにして、壁低部に嵌め込まれる。
容器をハウジング内に装着する際には、ワイパーが満杯状態の容器４００を、着脱自在なラベルを取りはずした後に、係合プレート４の下方にはめ込むことが可能である。
好ましくは、容器４００をこのワイパーディスペンサーに用いる場合には、係合プレート４の貫通穴４１は、着脱自在な粘着性ラベルによって閉じられ、ハウジング１００に装着された時点でそれが剥がされる。
【００２７】
係合プレート４の貫通穴４１は、ワイパーをカットすることが可能な形状に形成されている。ここでは、下方部分が１２０°を越える範囲にわたりタブ４２によって閉じられ、中央部は、互いに収束して端部にスリットが構成される２つの傾斜壁４３によってじょうご形の半径方向自由端部をスライドし、くさび型をなすスリット４４の端部に押込まれることで、容易にカットすることが可能である。
【００２８】
又、後部壁１０１は、係合プレート４及びその保持手段が、容器の重さの如何に関わらず、その重量を負荷する必要をなくすように、容器４００の底部を位置決めするようにして、パネル１０４を保持するものである。
【００２９】
図示は省略するが、有利な実施の形態によれば、容器４００は、着脱自在なラベルにより封止される第２の開口部を備えている。この第２の開口部は、容器４００の、係合プレート４に覆われた引抜き開口に面する壁面に設けられている。
この第２の開口部は、ワイパーの使用当初端部を、係合プレート４の貫通穴４１に、容易に引き出すことを可能とするものである。なお、この操作は、第２の開口部によってより容易となり、公知のワイパーディスペンサーにおいても、ワイパーのカット手段が装着された引抜き開口へと、ワイパーを引き出す際に必要なものである。
【００３０】
本発明の実施の形態に係るワイパー引出し装置の蓋３は、ワイパー取り出し口２０に対向する表面に、円筒状のエンドピース３３を保持している。このエンドピース３３は、ワイパー取り出し口２０に挿入可能、かつ、係合プレート４の貫通穴４２を取囲む断面形状を有している。
次の使用時に備えるために、係合プレート４から突出するワイパーの端部は、蓋３が閉じられることで、円筒状のエンドピース３３により密閉され、乾燥が防止される。
円筒状のエンドピース３３の自由端部には、蓋３によってハウジング１００を閉じる際に、貫通穴４１を取囲むようにして、係合プレート４に対して圧接するシール３４が、保持されている。
この構成によれば、容器４００は密閉されるようにシールされ、上述のごとく、ワイパーが乾燥する問題が回避される。
【符号の説明】
【００３１】
３：蓋、  ４：係合プレート、  １０：切欠き部、  １１：開口、  １２：突起、  １３：くぼみ、  １４：穴、  １５：上部係合突起、  １６：リブ、  １７：位置決め突起、  １８：Ｌ形リブ、  １９：フラット端部、  ２０：ワイパー取り出し口、  ２１：ピン、  ２２：アーム、  ２３：閉じ手段、  ２４：突起、  ２５：貫通穴、  ３１：弾性手段、  ３２：フック、  ３３：エンドピース、  ３４：シール、  ４０：中央部、４１：貫通穴、４２：タブ、４３：傾斜壁、４４：スリット、４５：中央タブ、４６：第１の保持突起、４７：第２の保持突起、４８：側方タブ、  １００：ハウジング、  １０１：後部壁、  １０２：前方カバー、  ４００：容器
【図１】
0005440881.tif 000002
【図２】
0005440881.tif 000003
【図３】
0005440881.tif 000004
【図４】
0005440881.tif 000005
【図５】
0005440881.tif 000006